(57)【特許請求の範囲】
【請求項１】
通電機器を備え、且つ、建造物壁面に設置されるボックスユニットにおいて、通電機器を保持する通電機器保持部材を設け、前記通電機器保持部材と建造物壁面の間に、通電機器を収容する空間の大きさを調整するスペーサを介在可能にしたものであり、建造物壁面に通電機器を収容するくぼみや穴がなくても、通電機器を収容する空間を確保し得る大きさのスペーサを、通電機器保持部材と建造物壁面との間に着脱可能に設けることによって、前記通電機器保持部材にて保持される通電機器が、建造物壁面にくぼみや穴が設けられている場合には同くぼみや穴に収容され、建造物壁面にくぼみや穴が設けられていない場合にはスペーサによって確保される空間に収容されるようになしたことを特徴とするボックスユニット。
【請求項２】
前記通電機器保持部材が、外側カバーによって覆われていることを特徴とする請求項１に記載のボックスユニット。
【請求項３】
通電機器保持部材とスペーサは互いに嵌合しており、前記スペーサの建造物壁面側には水密保持部材が嵌合しており、スペーサを取り外した際に、通電機器保持部材は水密保持部材と嵌合可能であることを特徴とする請求項２に記載のボックスユニット。
【発明の詳細な説明】
【技術分野】
【０００１】
本発明は、建造物の壁面に設置される通電機器を備えたボックスユニットに関するものである。
【背景技術】
【０００２】
建造物の壁面（玄関や塀）に設置されるインターホンは、スピーカ等の通電機器を備えたボックスユニット構造を備えている。このようなボックスユニットの一例が、特許文献１に開示されている。特許文献１には、外観を良好にすると共に、ネジの締結や内器ボックスと化粧パネルとの熱膨張係数の違いによる割れの発生や変形を防ぐことのできる化粧パネルブロックを備えたロビーインターホンが開示されている。
【特許文献１】実開平５−１１６０７号公報
【発明の開示】
【発明が解決しようとする課題】
【０００３】
このボックスユニットを建造物の新築時に設置する場合には、予め設置箇所に通電機器を収容するための空間（くぼみ、穴等）を設けておき、壁面からの突出が少なくなるように配慮することができる。
【０００４】
また、既設の建造物に、新たにボックスユニットを設置する場合に、壁に窪み又は穴を設けるのは、手間やコスト面で現実的ではなく、ボックスユニットは専ら壁面にそのまま設置されることが多い。そのため、ボックスユニットの壁面からの突出量は、新築時に設置する場合よりも、既設の建造物に設置する場合の方が大きくなる。
【０００５】
壁面にくぼみ又は穴を設け、このくぼみ又は穴に通電機器を収容することができるボックスユニットは、埋込式ボックスユニットと称され、くぼみ又は穴を設けていない壁面に設置するボックスユニットは、露出式ボックスユニットと称されている。
【０００６】
ところで、既設用のボックスユニット（露出式ボックスユニット）は、新設の建造物の壁面にも設置可能であるが、ボックスユニットの壁面からの突出量が大きいと、美観を損なうので、突出量は極力小さくするのが好ましい。
【０００７】
しかし、既設用のボックスユニットを採用すると、壁面にくぼみや穴が設けられていても、そのくぼみや穴を有効利用することができず、壁面からの突出量は大きくなってしまう。また、新築用と既設用の二種類のボックスユニットを製造するのはコスト高である。
【０００８】
そこで本発明は、既設の建造物であっても、壁にくぼみ又は穴が設けられている場合は、壁からの突出量を小さくすることができるボックスユニットを提供することを課題としている。
【課題を解決するための手段】
【０００９】
上記課題を解決するため、請求項１の発明では、通電機器を備え、且つ、建造物壁面に設置されるボックスユニットにおいて、通電機器を保持する通電機器保持部材を設け、前記通電機器保持部材と建造物壁面の間に、通電機器を収容する空間の大きさを調整するスペーサを介在可能にしたものであり、建造物壁面に通電機器を収容するくぼみや穴がなくても、通電機器を収容する空間を確保し得る大きさのスペーサを、通電機器保持部材と建造物壁面との間に着脱可能に設けることによって、前記通電機器保持部材にて保持される通電機器が、建造物壁面にくぼみや穴が設けられている場合には同くぼみや穴に収容され、建造物壁面にくぼみや穴が設けられていない場合にはスペーサによって確保される空間に収容されるようになした。
【００１０】
請求項２の発明は、請求項１の発明のボックスユニットにおいて、通電機器保持部材が、外側カバーによって覆われているものとした。
【００１１】
請求項３の発明では、請求項２の発明のボックスユニットにおいて、通電機器保持部材とスペーサは互いに嵌合しており、前記スペーサの建造物壁面側には水密保持部材が嵌合しており、スペーサを取り外した際に、通電機器保持部材は水密保持部材と嵌合可能であるように構成した。
【発明の効果】
【００１２】
請求項１の発明では、通電機器を収容する空間の大きさを調整するスペーサを着脱可能に設けたので、建造物の壁に通電機器を収容するくぼみや穴があれば、スペーサを外して壁面からの突出量（突出高さ）を少なく（小さく）することができ、建造物の壁に通電機器を収容するくぼみや穴がなければ、スペーサによって通電機器を収容する空間を確保し、建造物の壁にボックスユニットを設置することができる。また、通電機器を保持する通電機器保持部材を設け、前記通電機器保持部材と建造物壁面の間に、通電機器を収容する空間の大きさを調整するスペーサを介在可能にしたので、建造物壁面にくぼみ又は穴があるか否かを問わず、ボックスユニットを設置することができ、特に、建造物壁面にくぼみ又は穴がある場合には、スペーサを外すことにより、ボックスユニットの建造物壁面からの突出量を少なくすることができる。
【００１３】
請求項２の発明では、通電機器を保持する通電機器保持部材が、外側カバーによって覆われる。
【００１４】
請求項３の発明では、通電機器保持部材とスペーサは互いに嵌合しており、前記スペーサの建造物壁面側には水密保持部材が嵌合しており、スペーサを取り外した際に、通電機器保持部材は水密保持部材と嵌合可能であるように構成したので、スペーサを設ける場合と取り外す場合のいずれにおいても、建造物壁面とボックスユニットとの間の水密を良好に保つことができる。
【発明を実施するための最良の形態】
【００１５】
図１は、本発明を実施したボックスユニット１の縦断側面図であり、図２は、ボックスユニット１の分解断面図である。図１に示すように、ボックスユニット１は、スピーカ７（通電機器）を備えた通電機器保持部材３が、スペーサ４と防水パッキン５とを介して建造物の壁１０に設置されている。また、通電機器保持部材３は、防雨カバー２（外側カバー）で覆われている。
【００１６】
ボックスユニット１の構造を、図２を参照しながら説明する。通電機器保持部材３の壁１０側の外周部分には、嵌合部３ｅが設けてある。嵌合部３ｅは、通電機器保持部材３の外縁に沿って設けられている。通電機器保持部材３には、スピーカ７や、図示しないマイクが保持されている。
【００１７】
嵌合部３ｅより内側には、ボルト８を通す貫通孔３ａ、３ｂが設けてある。また、通電機器保持部材３の嵌合部３ｅとは反対側、すなわち、壁１０とは反対側の外縁部分には、段部３ｄが形成されている。通電機器保持部材３の段部３ｄを形成した側の下部には、係合部３ｃが設けられている。図２に示すように、通電機器保持部材３は、通電機器本体６と共にスピーカ７等の通電機器を覆っている。
【００１８】
通電機器保持部材３の段部３ｄには、防雨カバー２の端部２ｃが嵌合し、さらに係合部３ｃに、防雨カバー２に設けたフック２ｂを係合させることにより、防雨カバー２が通電機器保持部材３と一体化されるようになっている。
【００１９】
スペーサ４の壁１０とは反対側の外周（外縁）には、端部４ａが形成されている。図１に示すように端部４ａは、通電機器保持部材３の嵌合部３ｅと嵌合する。また、スペーサ４には、通電機器保持部材３の貫通孔３ａと同心の貫通孔４ｂが設けてある。さらに、壁１０には貫通孔３ａ及び貫通孔４ｂと同心のねじ穴１０ａが設けてある。通電機器保持部材３の嵌合部３ｅとスペーサ４の端部４ａとを嵌合させ、ボルト８を貫通孔３ａ及び４ｂを介して壁１０のねじ孔１０ａに螺合させることにより、通電機器保持部３を壁１０に固定することができるようになっている。
【００２０】
スペーサ４の壁１０側の外縁部分には、嵌合部４ｄが設けてある。この嵌合部４ｄには、防水パッキン５の嵌合部５ａが嵌合可能になっている。防水パッキン５は、スペーサ４（ボックスユニット１）と壁１０の間の水密を保つ役割を果たしている。なお、スペーサ４には、電気や信号を通す図示しない配線を通すための開口４ｃが設けてある。
【００２１】
ボックスユニット１を壁１０に固定した後においても、防雨カバー２のみは、係合部３ｃに対するフック２ｂの係合を解くことにより、容易に取り外すことができる。また、ボルト８として六角穴付きボルトを採用すると、ボックスユニット１の壁１０への取付け、及び取外しを容易に行うことができる。ボルト８の代わりに、プラスねじ又はマイナスねじを採用してもよい。
【００２２】
以上では、ボックスユニット１を露出式に設置する場合を説明したが、次に、図３及び図４を参照しながら、ボックスユニット１を埋込式に設置する場合を説明する。図３は、壁２０に通電機器（スピーカ７）を収容する収容穴２０ｂが設けてある場合の、ボックスユニット１の縦断側面図であり、図４は、図３のボックスユニット１の分解断面図である。
【００２３】
図４に示すように、壁２０には、図２に示す壁１０と同様のねじ穴２０ａが設けてある。さらに壁２０には、スピーカ７を収容する収容穴２０ｂが設けてある。一方、図３及び図４に示すボックスユニット１の構成は、図１及び図２に示すボックスユニット１の構成と比較して、スペーサ４を設けていない点のみが異なっており、その他の構成は、スペーサ４に相当する長さの分だけ、ボルト４の長さを短くした以外は全て同じである。
【００２４】
図４に示すように、防水パッキン５と通電機器保持部材３の間にスペーサ４がないので、防水パッキン５の嵌合部５ａと通電機器保持部材３の嵌合部３ｅとが対向している。嵌合部３ｅは、スペーサ４の嵌合部４ｄ（図２）と同じ形状を呈しているので、図３に示すように、嵌合部５ａと嵌合させることができる。
【００２５】
その結果、ボックスユニット１の壁２０からの突出量（突出高さ）Ｔ２は、図１に示すボックスユニット１の突出量（突出高さ）Ｔ１よりも小さくすることができる。従来のボックスユニットを壁２０に設置しても、従来のボックスユニットには図１及び図２に示すような取り外し可能なスペーサ４がないので、壁２０からの突出量（突出高さ）はＴ２よりも大きくなる。しかし、本発明のボックスユニット１では、スペーサ４を外すことによって、壁２０からの突出量を少なくすることができる。
【００２６】
図２に示す壁１０のように、通電機器を収容するための収容穴が設けられていない場合には、スペーサ４を取付け、図４に示す壁２０のように、収容穴２０ｂが設けられている場合には、スペーサ４を外して突出高さを低くすることができる。
【００２７】
図１及び図２の例では、スペーサ４は、一つ（一段）だけ設ける例を示したが、ボックスユニット１の突出高さを微調整することができるように、複数個（複数段）備えるようにしてもよい。すなわち、複数段の各スペーサ同士を嵌合させる構造を採用し、任意の個数のスペーサを使用することにより、収容する通電機器等の大きさに応じて、ボックスユニット１の壁１０又は２０からの突出高さを適宜必要最小限に設定することができるようになる。
【図面の簡単な説明】
【００２８】
【図１】本発明の、スペーサを装着した状態のボックスユニットの縦断側面図である。
【図２】図１のボックスユニットの分解断面図である。
【図３】本発明の、スペーサを外した状態のボックスユニットの縦断側面図である。
【図４】図３のボックスユニットの分解断面図である。
【符号の説明】
【００２９】
１  ボックスユニット
２  防雨カバー（外側カバー）
３  通電機器保持部材
３ｅ  嵌合部
４  スペーサ
４ｄ  嵌合部
５  防水パッキン
５ａ  嵌合部
７  スピーカ（通電機器）
１０、２０  壁（建造物壁面）
【図１】
0004742854.tif 000002
【図２】
0004742854.tif 000003
【図３】
0004742854.tif 000004
【図４】
0004742854.tif 000005